(57)【要約】  【課題】  無線タグ１１を取り付けた物品１２がゲート１３を通過しようとするときタグ通過の許可、禁止の判断・決定に要する時間を短縮する。  【解決手段】  ゲート１３を通過する可能性のあるタグ１１のタグ情報をゲート１３に設けられた無線タグ情報蓄積装置１８に蓄え、同じくゲート１３に設けられたゲート制御装置１９によりタグ通過の許可、禁止の判断・決定を行う。  【選択図】  図２
2006276994.tif 000002
【特許請求の範囲】
【請求項１】
無線タグが添付された物品を通過させるために設けられた、互いに対向する一対の側壁からなるゲートと、このゲートを構成する一対の側壁内に互いに対向するように設置された少なくも一対のアンテナと、これらの一対のアンテナに高周波電力を順次供給し電波を輻射させるとともに、前記無線タグから反射された電波を受信する送受信回路と、この回路の出力信号が供給され、前記無線タグに蓄積された情報を読取るとともに、前記無線タグに情報を記録するリーダ・ライタ回路と、このリーダ・ライタ回路の動作を制御するとともに、前記物品に添付される複数の無線タグに記録されたタグ情報を蓄積するサーバと、前記ゲートを構成する側壁内に設けられ、前記サーバに蓄積された複数の無線タグのうち、予め選定された個数の無線タグに記録された無線タグ情報を記憶する、無線タグ情報蓄積装置と、前記リーダ・ライタ回路の読み出し情報が供給され、この読み出し情報により検出された無線タグに対応する無線タグ情報を前記無線タグ情報蓄積装置から読み出し、当該無線タグのゲート通過の許可あるいは禁止を判断する判断回路とを備えることを特徴とするゲートシステム。
【請求項２】
ゲートを通過してよい無線タグの情報をゲートに蓄えることを特徴とする請求項１記載のゲートシステム。
【発明の詳細な説明】
【技術分野】
【０００１】
この発明は、例えば図書館での蔵書や資料の管理、物品販売店での物品管理、レンタル店での物品管理等に用いられる物品に無線タグを取り付けて管理するゲートシステムに関する。
【背景技術】
【０００２】
従来、例えば図書館で蔵書等に無線タグを取り付け、閲覧室と館外を結ぶ通路にゲートを置き、ゲートを構成する両側壁内にアンテナを設置し、このアンテナからゲートを通過する蔵書に添付された無線タグに電波を送信し、その反射波を再びアンテナで受信することにより、その蔵書が「貸し出し手続き済みか、無断持ち出しか」を、無線タグに記録された情報の読取りによりチェックしていた（特許文献１参照）。
【特許文献１】特開２００４−１５１８２１号公報
【発明の開示】
【発明が解決しようとする課題】
【０００３】
このようなゲートを用いた物品管理システムにおいては、無線タグがゲートを通過する短時間の間に、通過を許可してよいのか、あるいは禁止すべきかを判断する必要がある。しかしながら、従来のこの種のシステムにおいては、通過しようとする無線タグの通過許可、禁止を判定するためのデータベースは、ゲートの位置から離れた位置に設置されたサーバに蓄えられているため、サーバへのデータ紹介のために、通信回線を介してアクセスする必要があるため、瞬時の判断が不可能であった。
【課題を解決するための手段】
【０００４】
ゲートを通過する可能性のある無線タグの情報をゲートに蓄える。この蓄えたタグ情報に従って通過しようとするタグの合否を決定する。
【発明の効果】
【０００５】
従来、通信回線、サーバでの処理にかかっていた時間が節約でき、タグの通過に対して許可、禁止を判定するのに要する時間が短縮できた。
【発明を実施するための最良の形態】
【０００６】
図書館で書籍に無線タグを取り付け、閲覧室、貸し出し手続きカウンターと館外を結ぶ通路にゲートを設け、ゲート両側の柱にアンテナを設置しゲートを通過しようとするタグをチェックする。このとき、図1に示すように、無線タグ１１が添付された物品１２を通過させるために設けられた、互いに対向する一対の側壁からなるゲート１３が設けられている。このゲート１３を構成する一対の側壁１３−１、１３−２内に互いに対向するように設置された少なくも一対のアンテナ１４−１、１４−２が設置されている。次に、図２に示すように、これらの一対のアンテナ１４−１、１４−２には、送受信回路１５が接続され、アンテナ１４−１、１４−２に高周波電力を順次供給し電波を輻射させるとともに、前記物品１２に添付された無線タグ１１から反射された電波を受信する。この送受信回路１５の出力信号は書込み・読出し制御回路１６に供給され、ここで前記無線タグ１１に蓄積された情報が読取られる。この書込み・読出し制御回路１６はまた、前記無線タグ１１に情報を書込み記録する。
【０００７】
この書込み・読出し制御回路１６にはサーバ１７が接続されており、このサーバ１７の管理の下で、無線タグ１１との交信が行われる。このサーバ１７は、多種多様な管理対象物品１１に添付される多数の無線タグ１２に記録されたタグ情報を蓄積するデータベースとしての機能も備えている。
【０００８】
他方、前記ゲート１３を構成する側壁１３−１内には、無線タグ情報蓄積装置１８が設けられている。この無線タグ情報蓄積装置１８には、サーバ１７に蓄積された複数の無線タグのうち、予め選定された個数の無線タグ１１に記録された無線タグ情報を記憶する。そして、前記ゲート１３を構成する側壁１３−１内には、また、無線タグ１１が添付された物品１２のゲート通過に対する許可あるいは禁止を判断決定するゲート制御回路１９が設けられている。
【０００９】
次に、このように構成されたゲートシステムの動作を説明する。
【００１０】
サーバ１７の制御の下で、送受信回路１５、書込み・読出し制御回路１６が動作し、ゲート１３を構成する側壁１３−１、１３−２内に設置されたアンテナ１４−１、１４−２から電波が輻射され、物品１１に添付された無線タグ１２との間で、データの書込み、読み出しが行われる。無線タグ１１が添付された物品１２が前述した図書館の図書の場合、サーバ１７は、そのデータベースの中から、例えば図３に示すように、予め選定された個数の無線タグ１１に記録された無線タグ情報を抽出して無線タグ情報蓄積装置１８に記憶しておく。この無線タグ１１の選定は、所定の時期に、貸し出しが予想され、ゲートを通過することが予想される図書に添付された無線タグ１１を抽出する。抽出する無線タグ１１の個数は、無線タグ情報蓄積装置１８の蓄積容量に応じて適宜選定する。このような状態において、図４に示すような無線タグＡあるいはＢが添付された図書がゲートに入ってくると、これらの無線タグはアンテナ１４−１、１４−２、送受信回路１５、書込み・読出し制御回路１６により検出され、この結果はゲート制御回路１９に供給される。ゲート制御回路１９は、無線タグ情報蓄積装置１８に蓄積された無線タグ情報を検索し、検出された無線タグＡあるいはＢについて記録されたタグ情報を読み出し、当該無線タグＡあるいはＢのゲート通過の許可あるいは禁止を判断する。例えば、タグＡ、タグＣが貸し出し手続き済み、タグＢは貸し出し手続きを行っていないとする。この場合、図３に示されるように、タグＡ、タグＣが貸し出し手続き済みであるという情報を無線タグ情報蓄積装置１８に蓄えておく。この蓄えられた情報に従ってタグＡ、タグＣがゲートを通過しようとしたとき通過許可を決定し、ゲートを開く。そしてタグＢがゲートを通過しようとすれば通過禁止を決定し、ゲートを開かずに信号音、信号光などを表示する。
【００１１】
このように、ゲート内に設置した無線タグ情報蓄積装置１８にサーバ１７から無線タグ情報を抽出して予め蓄積しておくとともに、ゲート内にゲート制御回路１９を設置したため、無線タグ１１が添付された物品１２のゲート１３の通過の可否を、サーバ１７に紹介することなく、迅速に判断することができる。
【図面の簡単な説明】
【００１２】
【図１】本発明の実施形態に用いられるゲート部の概略構成を示す斜視図である。
【図２】本発明の実施形態であるゲートシステムの全体構成を示すブロック図である。
【図３】本発明の実施形態に用いられる無線タグ情報の一例を示す図である。
【図４】本発明の実施形態に用いられる無線タグの一例を示す図である。
【符号の説明】
【００１３】
１１  無線タグ
１２  物品
１３  ゲート
１４−１、１４−２  アンテナ
１５  送受信回路
１６  書込み・読出し制御回路
１７  サーバ
１８  無線タグ情報蓄積装置
１９  ゲート制御回路
【図１】
2006276994.tif 000003
【図２】
2006276994.tif 000004
【図３】
2006276994.tif 000005
【図４】
2006276994.tif 000006